(57)【特許請求の範囲】
【請求項１】
給水管と給湯管が接続された熱交換器と、前記熱交換器を加熱する加熱手段と、前記加熱手段の加熱能力を調節する加熱能力調節手段と、前記熱交換器からの出湯温度を検出する出湯温度検出器と、出湯温度を設定する出湯温度設定手段と、前記熱交換器への水の流動を検出する流量検出手段と、水の流動を前記流量検出手段で検出し前記出湯温度検出器と前記出湯温度設定手段の温度を比較して前記加熱能力調節手段を制御するとともに、前記流量検出手段で水の流動を検出していない時は水の流動時とは異なった条件で前記加熱能力調節手段を制御して前記熱交換器を加熱する停止時制御部を有した制御器を備え、前記制御器の停止時制御部は、加熱能力調節手段にて水の流動していない時の加熱手段の最大加熱量を水の流動時の最大加熱量よりも低く押さえた給湯装置。
【請求項２】
制御器の停止時制御部は、加熱能力調節手段にて水の流動していない時の出湯温度検出器で検出される温度を、出湯温度設定手段で設定された温度よりも低く制御した請求項１記載の給湯装置。
【請求項３】
制御器の停止時制御部は、加熱能力調節手段にて水の流動していない時の出湯温度検出器で検出される温度を、出湯温度設定手段で設定された温度と相関を持たせて制御した請求項１記載の給湯装置。
【請求項４】
制御器の停止時制御部は、加熱能力調節手段にて水の流動していない時の加熱手段による熱交換器の加熱を所定時間内にとどめて制御した請求項１記載の給湯装置。
【請求項５】
制御器の停止時制御部は、水の流動していない時に出湯温度検出器で検出される温度が、下限値以下に下がったら加熱能力調節手段にて加熱手段による熱交換器の加熱を開始し、上限値以上に上がったら加熱能力調節手段にて加熱手段による熱交換器の加熱を停止した請求項１記載の給湯装置。
【請求項６】
給水管と給湯管が接続された熱交換器と、前記熱交換器を加熱する加熱手段と、前記加熱手段の加熱能力を調節する加熱能力調節手段と、前記熱交換器からの出湯温度を検出する出湯温度検出器と、出湯温度を設定する出湯温度設定手段と、前記熱交換器への水の流動を検出する流量検出手段と、水の流動を前記流量検出手段で検出し前記出湯温度検出器と前記出湯温度設定手段の温度を比較して前記加熱能力調節手段を制御するとともに、前記流量検出手段で水の流動を検出していない時は水の流動時とは異なった
条件で前記加熱能力調節手段を制御して前記熱交換器を加熱する停止時制御部を有した制御器と、前記制御器の停止時制御部は、出湯温度検出器で検出される温度が所定値を越えるときの温度変化勾配により、前記加熱能力調節手段にて加熱手段の加熱量を調節した給湯装置。
【請求項７】
給水管と給湯管が接続された熱交換器と、前記熱交換器を加熱する加熱手段と、前記加熱手段の加熱能力を調節する加熱能力調節手段と、前記熱交換器からの出湯温度を検出する出湯温度検出器と、出湯温度を設定する出湯温度設定手段と、前記熱交換器への水の流動を検出する流量検出手段と、水の流動を前記流量検出手段で検出し前記出湯温度検出器と前記出湯温度設定手段の温度を比較して前記加熱能力調節手段を制御するとともに、前記流量検出手段で水の流動を検出していない時は水の流動時とは異なった条件で前記加熱能力調節手段を制御して前記熱交換器を加熱する停止時制御部を有した制御器と、前記熱交換器へ流動する水の温度を検出する水温検出器を備え、この水温検出器で検出される温度を前記停止時制御部の制御に利用した給湯装置。
【請求項８】
熱交換器を迂回し給水管と給湯管を連絡するバイパス管と、熱交換器からの湯とバイパス管からの水の混合比を調節する湯水混合手段と、混合水の温度を検出する混合水温検出器を備え、この混合水温検出器で検出される温度を停止時制御部の制御に利用した請求項１記載の給湯装置。
【請求項９】
熱交換器を迂回し給水管と給湯管を連絡するバイパス管と、熱交換器からの湯とバイパス管からの水の混合比を調節するとともに給湯の停止時には経路を全開とする湯水混合手段を備えた請求項１記載の給湯装置。
【発明の詳細な説明】
【０００１】
【発明の属する技術分野】
本発明は、瞬間式給湯機の給湯開始時に早く湯を供給することのできる給湯装置に関するものである。
【０００２】
【従来の技術】
従来この種の給湯装置には、図４に示すようなものがあった（例えば特公平４−９９７２号公報）。
【０００３】
同図において１は瞬間給湯機であり、給湯口２と瞬間給湯機１は給湯管３で結ばれている。給湯口２の手前には給湯弁４が設けられており、給湯管３の給湯弁４の上流側から排水管５が分岐しており、この排水管５には排水弁６が設けられている。また、排水管５の給湯管３からの分岐部には温度検出部７が設けられていて、温度設定器８の設定温度とこの温度検出部７の温度を比較して給湯制御部９が給湯弁４と排水弁６を制御している。
【０００４】
そして、給湯要求時に温度検出部７により検出された湯水の温度が温度設定器８の設定温度の許容範囲の場合、給湯弁４を開き給湯口２に給湯配管３内の湯水を供給するとともに、許容範囲外の場合、排水弁６を開き給湯管３内の湯水を排水管５を経て排水口から捨て、常に許容範囲内の温度の湯水を給湯口２から供給するというものである。
【０００５】
【発明が解決しようとする課題】
しかしながら上記したような従来の給湯装置では、給湯弁４、排水管５、排水弁６、温度検出部７などを現場で配管工事や配線工事を行って取り付ける必要があり、設置が大変であるとともに、通常の給湯装置では必要ない給湯弁４、排水管５、排水弁６、温度検出部７等の部材を必要とするという課題があった。
【０００６】
また、出湯要求時に湯水の温度が許容範囲外の場合、排水弁６を開き給湯管３内の湯水を排水口から捨てる動作をするため、給湯口２から湯が供給される迄の時間は大幅に改善されないという課題を有していた。
【０００７】
本発明は上記した課題を解決するものであり、給湯装置自身の改善により、給湯の開始時に早く湯を供給できる給湯装置を提供するものである。
【０００８】
【課題を解決するための手段】
本願発明は上記した課題を解決するものであり、給水管と給湯管が接続された熱交換器と、前記熱交換器を加熱する加熱手段と、前記加熱手段の加熱能力を調節する加熱能力調節手段と、前記熱交換器からの出湯温度を検出する出湯温度検出器と、出湯温度を設定する出湯温度設定手段と、前記熱交換器への水の流動を検出する流量検出手段と、水の流動を前記流量検出手段で検出し前記出湯温度検出器と前記出湯温度設定手段の温度を比較して前記加熱能力調節手段を制御するとともに、前記流量検出手段で水の流動を検出していない時は水の流動時とは異なった条件で前記加熱能力調節手段を制御して熱交換器を加熱する停止時制御部を有した制御器を備えて構成し、給湯の停止時に熱交換器への水の流動が停止していることを流量検出手段で検出して、給湯の行われている時と異なった条件で加熱能力調節手段を制御して熱交換器を加熱することにより、給湯の停止時に熱交換器が冷却されることを防止し、再給湯時に熱交換器内の保有水を加熱する時間を節約して、給湯装置本体だけで端末への湯の供給を早く行えるようにしているものである。
【０００９】
また、制御器の停止時制御部は、加熱能力調節手段にて水の流動していない時の加熱手段の最大加熱量を、水の流動時の最大加熱量よりも低く押さえることにより、水が流動していないことによる出湯温度検出器への温度の伝達遅れや、特に出湯温度検出器が熱交換器の上部よりも下方に位置する場合に発生する熱交換器上部と出湯温度検出器の温度差が大きくなる現象や伝達遅れに対応して、的確に熱交換器を加熱するとともに異常加熱や局部沸騰を防止するものである。
【００１０】
【発明の実施の形態】
本発明の第１の発明における給湯装置は、給水管と給湯管が接続された熱交換器と、前記熱交換器を加熱する加熱手段と、前記加熱手段の加熱能力を調節する加熱能力調節手段と、前記熱交換器からの出湯温度を検出する出湯温度検出器と、出湯温度を設定する出湯温度設定手段と、前記熱交換器への水の流動を検出する流量検出手段と、水の流動を前記流量検出手段で検出し前記出湯温度検出器と前記出湯温度設定手段の温度を比較して前記加熱能力調節手段を制御するとともに、前記流量検出手段で水の流動を検出していない時は水の流動時とは異なった条件で前記加熱能力調節手段を制御して前記熱交換器を加熱する停止時制御部を有した制御器を備えて構成するものである。そして、給湯の停止時に熱交換器への水の流動が停止していることを流量検出手段で検出して、給湯の行われている時と異なった条件で加熱能力調節手段を制御して熱交換器を加熱することにより、給湯の停止時に熱交換器が冷却されることを防止し、再給湯時に熱交換器内の保有水を加熱する時間を節約して、給湯装置本体だけで給湯時の端末における湯の供給を早く行えるようにしているものである。
【００１１】
また、制御器の停止時制御部は、加熱能力調節手段にて水の流動していない時の加熱手段の最大加熱量を、水の流動時の最大加熱量よりも低く押さえて構成するものである。そして、水の流動している時よりも負荷の小さい、水の流動していない時の熱交換器への加熱量の最大値を低く押さえることにより、水が流動していないことによる出湯温度検出器への温度の伝達遅れや、特に出湯温度検出器が熱交換器の上部よりも下方に位置する場合に発生する熱交換器上部と出湯温度検出器の温度差が大きくなる現象や伝達遅れに対応して、的確に熱交換器を加熱するとともに異常加熱や局部沸騰を防止するものである。
【００１２】
また、本発明の第２の発明における給湯装置は、制御器の停止時制御部は加熱能力調節手段にて水の流動していない時の出湯温度検出器で検出される温度を、出湯温度設定手段
で設定された温度よりも低く制御して構成するものである。そして、水が流動していないことによる出湯温度検出器への温度の伝達遅れに対応し、異常加熱や局部沸騰を防止し、熱交換器全体の平均温度が設定値を大きく越えることの防止を行うものである。
【００１３】
また、本発明の第３の発明における給湯装置は、制御器の停止時制御部は、加熱能力調節手段にて水の流動していない時の出湯温度検出器で検出される温度を出湯温度設定手段で設定された温度と相関を持たせて制御するものである。そして、出湯温度の設定値が高い時は高く、低いときは低く設定し、再出湯時に給湯管から極力設定温度に近い温度の湯を供給するものである。
【００１４】
また、本発明の第４の発明における給湯装置は、制御器の停止時制御部は、加熱能力調節手段にて水の流動していない時の加熱手段による熱交換器の加熱を所定時間内にとどめて制御するものである。そして、万が一、出湯温度検出器の故障やスケール付着等による検出誤差が生じても、所定時間が経過したら加熱を止め異常加熱や局部沸騰を防止し、二重安全化を図っているものである。
【００１５】
また、本発明の第５の発明における給湯装置は、制御器の停止時制御部は、水の流動していない時に出湯温度検出器で検出される温度が下限値以下に下がったら、加熱能力調節手段にて加熱手段による熱交換器の加熱を開始し、上限値以上に上がったら、加熱能力調節手段にて加熱手段による熱交換器の加熱を停止するものである。そして、流量検出手段で水の流動を検出している時の出湯温度設定器と出湯温度検出器の温度を比較して一定に制御する方法ではなく、上限値、下限値内で制御する方法をとることにより、負荷が小さい場合や加熱手段の加熱能力の下限値を下回った場合のオン・オフ制御を可能とし、水の流動が停止していて熱交換器内の温度と出湯温度検出器で検出される温度に差があっても、熱交換器を異常加熱することを防止するものである。
【００１６】
また、本発明の第６の発明における給湯装置は、制御器の停止時制御部は、出湯温度検出器で検出される温度が所定値を越えるときの温度変化勾配により加熱能力調節手段にて、加熱手段の加熱量を調節して構成するものである。そして、水の流動が停止していて熱交換器の温度と出湯温度検出器で検出される温度が異なる条件下で、外気温度や給湯停止後の経過時間等による負荷の相違に対応し、加熱量を的確に調節し異常加熱や局部沸騰を防止しつつ、熱交換器を有効に加熱し得るものである。
【００１７】
また、本発明の第７の発明における給湯装置は、熱交換器へ流動する水の温度を検出する水温検出器を備え、この水温検出器で検出される温度を停止時制御部の制御に利用して構成するものである。そして、水温を水の流動が停止している時の制御に利用することにより、熱交換器の配設状態による給湯の停止時に逆向きの自然対流の発生や、水温検出器の方が相対的に出湯温度検出器よりも的確に熱交換器の状態を表す場合に、水温検出器で検出される温度を制御に利用し、より正確な加熱制御を可能としているものである。
【００１８】
また、本発明の第８の発明における給湯装置は、熱交換器を迂回し給水管と給湯管を連絡するバイパス管と、熱交換器からの湯とバイパス管からの水の混合比を調節する湯水混合手段と、混合水の温度を検出する混合水温検出器を備え、この混合水温検出器で検出される温度を停止時制御部の制御に利用して構成するものである。そして、混合水温検出器の温度を停止時制御部の制御に利用することにより、湯と水が混合したあとの給湯端末に至る給湯管の温度の状態を的確に把握し、熱交換器の加熱量を調節し、より的確な温度に熱交換器を加熱するものである。
【００１９】
また、本発明の第９の発明における給湯装置は、熱交換器を迂回し給水管と給湯管を連絡するバイパス管と、熱交換器からの湯とバイパス管からの水の混合比を調節するとと
もに給湯の停止時には経路を全開とする湯水混合手段を備えて構成するものである。そして、熱交換器から給湯管と給水管とバイパス管を介して循環回路を構成し、給湯の停止中に自然対流を促進させ、給湯装置本体内の滞留水の温度を万遍なく均一にして、再給湯時の温度の立ち上がりを早めているものである。
【００２０】
以下、本発明の実施例を図面に基づいて説明する。
【００２１】
図１は本発明の一実施例における給湯装置の系統図である。図１において、熱交換器１０には、給水管１１と給湯管１２が接続されている。給水管１１には、熱交換器１０への水の流入を検出する流量検出手段である水量検出器１３、水温を検出する水温検出器１４、また異常に熱交換器１０の温度が上昇した場合の安全装置としてハイリミットスイッチ１５が設けられている。
【００２２】
熱交換器１０を迂回し給水管１１と給湯管１２を連絡するバイパス管１６が設けられ、このバイパス管１６には、熱交換器１０からの湯とバイパス管１６からの水の混合比を調節する湯水混合手段として水比例弁１７が設けられている。この水比例弁１７は、ソレノイドへの電流の調節によって水圧に対してバランスを取った弁がバイパス管１６の開度を調節し、通過する水量を調節する形式のもので、給湯の停止時は電流の停止により全開状態で保持されているものである。
【００２３】
給湯管１２には出湯温度検出器１８が設けられ、また、バイパス管１６の合流点以降に水量制御弁１９、混合水温検出器２０が設けられている。給湯管１２は更に給湯装置本体２１外の給湯配管２２を経て端末に設けた湯水混合栓２３、２４に接続されている。
【００２４】
端末側には給湯装置本体２１のリモコン２５が設けられている。このリモコンはワイヤレス型であり、電源イッチ２６、給湯温度のアップスイッチ２７、ダウンスイッチ２８、表示部２９の他、湯水混合栓２３や２４が使用されていない時に、使用されて熱交換器１０に水が流れている状態と異なった条件での制御を選択する加熱スイッチ３０が設けられている。本体側の制御器３１には、商用電源３２からの電力が供給され、受信器３３で受けたリモコン２５の信号や各種センサーの信号が取り込まれ、また各種アクチュエータへの信号や操作出力が出力されている。そして、制御器３１にはボリュームで構成された出湯温度設定器３４や停止時制御部３５が設けられている。
【００２５】
熱交換器１０は、加熱手段であるガスバーナ３６で加熱され、このガスバーナ３６へのガス量を調節する加熱能力調節手段としてガス比例弁３７が設けられている。ガスのオン、オフは加熱能力調節手段の一部を構成する元電磁弁３８により行われ、また燃焼前後や燃焼中においては送風ファン３９から風が送られる。
【００２６】
次にこの実施例の動作を説明する。動作については、図２のフローチャートにその要部を示している。
【００２７】
リモコン２５の電源スイッチ２６がオン操作され、加熱スイッチ３０がオン操作されていると、給湯の停止時において熱交換器１０を加熱できるモードに入る。水量検出器１３で検出される水の流量が所定値（例えば１リットル／min）を
越えると、端末の湯水混合栓が開けられたと判断して通常の給湯モードに入り、リモコンのアップスイッチ２７、ダウンスイッチ２８を操作して設定された設定温度の湯を供給するべく、混合水温検出器２０の混合水温度と設定温度が比較される。また、出湯温度検出器１８で検出される出湯温度と出湯温度設定器３４の温度が比較され、水温検出器１４の水温と水量検出器１３の値が取り込まれ、水比例弁１７と水量制御弁１９、ガス比例弁３７が調節され、所望の温度の湯が給湯配管２２から供給される。
【００２８】
水量検出器１３で検出される水の流量が所定値（例えば１リットル／min）以
下の場合は、給湯停止時の熱交換器１０への加熱モードが可能となる。出湯温度検出器１８、水温検出器１４、混合水温検出器２０で検出される温度がいずれも所定値を下回ると、給湯装置全体が冷えていると停止時制御部３５が判断して加熱モードを進める。
【００２９】
出湯温度検出器１８と比較される所定温度は、出湯温度設定器３４の設定値から１０℃を引いた値に設定されている。水温検出器１４と比較される所定温度は４０℃に設定されている。また、混合水温検出器２０と比較される所定温度は、リモコン２５で設定された混合湯温から５℃を引いた値に設定されている。各温度検出器で検出される温度がこれらの所定値をいずれも下回ったら次のステップに進む。
【００３０】
なお、これは一例であり、他の方法としては出湯温度検出器１８のみの値を使用する方法や、出湯温度検出器１８と他の一つを使用する方法、また温度も固定値を用いる方法等各種の方法がある。
【００３１】
各温度検出器で検出される温度が所定値をいずれも下回ったら、次は給湯条件を読み込む。この給湯条件は、前回給湯を行った時のメモリーされた条件とその後変更があった場合は現在の設定条件も読み込む。これは、給湯温度が何度であるかを判断し、温度を補正するためであり、設定温度が高い場合は高めに、低い場合は低めになるように熱交換器を加熱する。そして、再出湯時に給湯管１２から極力設定温度に近い温度の湯を供給する。
【００３２】
そして、送風ファン３９を回転させ残ったガスの排出を行い、元電磁弁３８を開け、ガス比例弁３７の開度を点火し易い開度１の状態にまで開けて点火を行う。この開度１の状態は、通常の給湯を行っている時のガス比例弁３７の全開開度に比べ小さく設定されており、水の流動が停止している状態で過度に熱交換器１０を加熱してしまわないように工夫されている。
【００３３】
次にガス比例弁３７の開度を開度２の状態にまで絞る。この開度は、通常の給湯が行われている状態での最小の開度に相当しており、この最小開度で加熱しても負荷が小さいため、熱交換器１０の温度は、次第に上昇して行く。
【００３４】
なお、給湯装置として最少加熱量が極めて低く取れる場合は、出湯温度検出器１８で検出される温度を一定に保つ方法も可能である。
【００３５】
この後の制御は、一番代表的な出湯温度検出器１８の温度を例として図３に示すようにようになっている。出湯温度は出湯温度設定器３４で６５℃（＝ＴO）
に設定されているものとする。従って加熱の開始を判断する所定値Ｔ1は、Ｔ1＝６５℃−１０℃＝５５℃である。そしてＴ２＝６５℃−８℃＝５７℃、Ｔ３＝６５℃−７℃＝５８℃、Ｔ４＝６５℃−３℃＝６２℃と各温度が相関をもって設定されている。
【００３６】
ガスバーナ３６の燃焼停止を判断する温度は、この場合、出湯温度検出器１８では６２℃となっている。出湯温度検出器１８で検出される温度がＴ２からＴ３を経過する時間を見て温度の変化勾配を演算し、後のガス比例弁３７の開度を調節し加熱量を制御している。これは、外気温度や給湯停止後の経過時間等による負荷の相違に対応し、特にあまりに大きな温度変化がある場合は、後のオーバーシュートが懸念されるため、燃焼量を絞る制御を行い、異常な部分的加熱や局部沸騰を防止し、比較的均一に熱交換器１０全体を加熱するためである。また、同様な判断を水温検出器の信号でも行っており、安全側の値をとって全体の制御条件を決めている。
【００３７】
なお、この勾配の見方は、この例では温度優先で行っているが、時間優先で行ってもよい。
【００３８】
なぜ水温検出器１４の温度が上がるかについては、バイパス管１６に設けられた水比例弁１７は、給湯を行っていないときは電流を流さずに弁は全開となっているため、熱交換器１０、給湯管１２、バイパス管１６、給水管１１間に加熱、冷却に伴い循環回路が形成され、これらの循環回路が部分部分で温度の高低は無論あるものの、全体に温度上昇したり下降したりする現象を呈する。このため、水温検出器１４や混合水温検出器２０の温度も計測して制御に役立てることにより、きめ細かな加熱が可能となるものである。また、この図１の循環回路は、熱交換器１０が上部にあるため、熱交換器１０部分に高い温度の湯が溜まり易いが、熱交換器１０の冷えた湯がバイパス管１６の右側最低部まで自然に下降できるように、熱交換器１０、給湯管１２、バイパス管１６、給水管１１の形状や位置関係を工夫して循環しやすいように設定されている。
【００３９】
また、水比例弁１７が全開となっていることにより、万が一故障により、熱交換器１０内に高温の湯が溜まっていても、再給湯時に水の割合が大きくなるため安全である。
【００４０】
さて、加熱開始時と異なり、加熱停止時の判定は出湯温度検出器１８と、水温検出器１４の信号だけを利用して行っている。これは、混合水温検出器の設置位置上、信号はあまり当てにならないからであり、主として給湯が行われたあとの加熱条件の判定上、加熱制御に入る時だけの制御に利用している。
【００４１】
また、ガスバーナ３６による熱交換器１０の加熱は、最長加熱時間を決められている。この最長加熱時間は、給湯の停止時制御においてガスバーナ３６が最大加熱量で燃焼したとしても、ハイリミット１５が作動しない時間に定められている。この最長加熱時間を定めることにより、万が一、出湯温度検出器１８が故障したり、長期間の使用によってスケール等が付着して検出温度が低めになっても、時間管理で加熱和停止することにより、二重に安全化が図れているものである。出湯温度検出器１８で検出される温度、水温検出器１４で検出される温度、最長加熱時間が経過のいずれの一条件かが成立すると、安全のため加熱は停止される。この停止に当たっては、元電磁弁３８が閉じられ、さらに送風ファン３９が排気ガスを完全に排出するまで回り続け、そして停止される。
【００４２】
以上のような動作により、一般の家庭用の給湯装置を想定すると、従来の給湯装置では配管長が５ｍ程度のシステムで、端末の蛇口をひねってから約１５秒位かかって湯が供給されることが普通であったものが、５秒程度に短縮可能である。
【００４３】
従来の給湯装置は、保有水量等に起因する給湯装置自身の立ち上がりの時間が１０秒程度、また１／２インチの銅配管を使用している場合を想定すると、５ｍ程度の配管長の場合保有水量は９００ｃｃ程であり、この保有水量を押し出す時間が５秒程度かかっていたが、給湯装置自身の立ち上がりの時間が短縮できるため、配管の滞留水の押し出し時間だけで済む結果となる。
【００４４】
上記実施例では加熱手段として、ガスバーナ３６による加熱を例にとったが、石油のバーナや電気的に加熱する手段であってもよい。
【００４５】
また、加熱能力調節手段としてガス比例弁３７と元電磁弁３８を例にとったが、これら以外のガス量調節手段であったり、各加熱手段に対応した各種の加熱能力調節手段であってもよい。
【００４６】
また、出湯温度設定手段としては、制御器に設けたボリュームで出湯温度が調節できる
出湯温度設定器３４を例にとったが、制御器のマイコンに予め設定温度が書き込んであったり、リモコンで温度設定ができるものであってもよい。
【００４７】
また、流量検出手段は、水流を直接検出する水量検出器１３を例にとったが、給湯の開始、停止の操作スイッチと連動する間接的なものや、直接的なものと間接的なものの複合する形式であってもよい。また、上記実施例ではバイパス管１６を有し、熱交換器１０から供給される湯とバイパス管１６からの水を水比例弁１７で調節してリモコン２５で設定した温度の湯を得る給湯装置を例にとったが、バイパス管や水比例弁を有しない給湯装置であってもよい。この場合、出湯温度設定手段の設定値は、リモコンで設定される給湯温度の設定値に一致してくる。
【００４８】
また、湯水混合手段として水側だけを調節する水比例弁１７を例にとったが、湯側、水側を双方調節するものや、モータで駆動するの、またワックスサーモや形状記憶合金等を利用したものや、これらと電気的制御との組合せ等であってもよい。
【００４９】
【発明の効果】
以上のように本発明の給湯装置によれば次のような効果が得られる。
【００５０】
（１）給湯の停止時に熱交換器への水の流動が停止していることを流量検出手段で検出して、給湯の行われている時と異なった条件で加熱能力調節手段を制御して熱交換器を加熱することにより、給湯の停止時に熱交換器が冷却されることを防止し、再給湯時に熱交換器内の保有水を加熱する時間を節約して、給湯装置本体だけで給湯時の端末における湯の供給を早く行うことができる。また、水の流動していない時の加熱手段の最大加熱量を水の流動時の最大加熱量よりも低く押さえることにより、水が流動していない時の出湯温度検出器への温度の伝達遅れや、特に出湯温度検出器が熱交換器の上部よりも下方に位置する場合に発生する熱交換器上部と出湯温度検出器の温度差が大きくなる現象や伝達遅れに対応して、異常加熱や局部沸騰を防止することができる。
【００５１】
（２）加熱能力調節手段にて水の流動していない時の出湯温度検出器で検出される温度を出湯温度設定手段で設定された温度よりも低く制御することにより、水が流動していないことによる出湯温度検出器への温度の伝達遅れに対応し、熱交換器全体の平均温度が設定値を大きく越えることの防止が図れる。
【００５２】
（３）水の流動していない時の出湯温度検出器で検出される温度を出湯温度設定手段で設定された温度と相関を持たせて制御することにより、出湯温度の設定値が高い時は高く、低いときは低く設定し、再出湯時に給湯管から極力設定温度に近い温度の湯を供給することが可能となる。
【００５３】
（４）加熱能力調節手段にて水の流動していない時の加熱手段による熱交換器の加熱を所定時間内にとどめて制御することにより、万が一、出湯温度検出器の故障やスケール付着等による検出誤差が生じても、所定時間が経過したら加熱を止め異常加熱や局部沸騰を防止し、二重安全化が図れる。
【００５４】
（５）水の流動していない時に出湯温度検出器で検出される温度が下限値以下に下がったら、加熱能力調節手段にて加熱手段による熱交換器の加熱を開始し、上限値以上に上がったら、加熱能力調節手段にて加熱手段による熱交換器の加熱を停止することにより、負荷が小さい場合や加熱手段の加熱能力の下限値を下回った場合のオン・オフ制御を可能とし、水の流動が停止していて熱交換器内の温度と出湯温度検出器で検出される温度に差があっても、熱交換器を異常加熱することを防止するものである。
【００５５】
（６）出湯温度検出器で検出される温度が所定値を越えるときの温度変化勾配により加熱能力調節手段にて、加熱手段の加熱量を調節することにより、水の流動が停止していて熱交換器の温度と出湯温度検出器で検出される温度が異なる条件下で、外気温度や給湯停止後の経過時間等による負荷の相違に対応し、加熱量を的確に調節し異常加熱や局部沸騰を防止しつつ、熱交換器を有効に加熱し得るものである。
【００５６】
（７）熱交換器へ流動する水の温度を検出する水温検出器を備え、この水温検出器で検出される温度を停止時制御部の制御に利用することにより、熱交換器の配設状態による給湯の停止時に逆向きの自然対流の発生や、水温検出器の方が相対的に出湯温度検出器のよりも的確に熱交換器の状態を表す場合に、水温検出器で検出される温度を制御に利用し、より正確な加熱制御が可能となる。
【００５７】
（８）熱交換器からの湯とバイパス管からの水の混合比を調節する湯水混合手段と、混合水の温度を検出する混合水温検出器を備え、この混合水温検出器で検出される温度を停止時制御部の制御に利用することにより、湯と水が混合したあとの給湯端末に至る給湯管の温度の状態を的確に把握し、熱交換器の加熱量を調節し、より的確な温度に熱交換器を加熱できる。
【００５８】
（９）熱交換器からの湯とバイパス管からの水の混合比を調節するとともに給湯の停止時には経路を全開とする湯水混合手段を備えることにより、熱交換器から給湯管と給水管とバイパス管を介して循環回路を構成し、給湯の停止中に自然対流を促進させ、給湯装置本体内の対流水の温度を万遍なく均一にして、再給湯時の温度の立ち上がりを早くすることができる。
【図面の簡単な説明】
【図１】  本発明の一実施例における給湯装置の系統図
【図２】  同給湯装置の要部動作のフローチャート
【図３】  同給湯装置の要部動作の説明図
【図４】  従来の給湯装置の系統図
【符号の説明】
１０  熱交換器
１１  給水管
１２  給湯管
１３  水量検出器（流量検出手段）
１４  水温検出器
１６  バイパス管
１７  水比例弁（湯水混合手段）
１８  出湯温度検出器
２０  混合水温検出器
３４  出湯温度設定器（出湯温度設定手段）
３５  停止時制御部
３６  ガスバーナ（加熱手段）
３７  ガス比例弁（加熱能力調節手段）
３８  元電磁弁（加熱能力調節手段）
【図１】
0003767012.tif 000002
【図２】
0003767012.tif 000003
【図３】
0003767012.tif 000004
【図４】
0003767012.tif 000005